(57)【要約】【課題】ＵＳＢ規格ケーブルを傷つけない、かつ固定し易いノイズ吸収具を提供する。【解決手段】ＵＳＢ規格ケーブルに重畳されるコモンモードノイズを抑制するノイズ吸収具であって、四角形の空孔を有する環状のフェライトコア１１とワの字状固定用金具１２を備えた構造であり、機器の有するＵＳＢソケットの回りを囲むように装着されるノイズ吸収具とする。【選択図】　図１
2004039786.tif 000002
【特許請求の範囲】
【請求項１】
ＵＳＢ規格ケーブルに重畳されるコモンモードノイズを抑制するノイズ吸収具であって、前記ノイズ吸収具は、四角形の空孔を有する環状のフェライトコアを備えた構造であり、機器のＵＳＢソケットの回りを囲むように装着されたことを特徴とするノイズ吸収具。
【請求項２】
請求項１に記載のノイズ吸収具において、前記フェライトコアと、少なくとも１個のワの字状固定用金具とが組み合わされた構成であることを特徴とするノイズ吸収具。
【発明の詳細な説明】
【０００１】
【発明の属する技術分野】
本発明は、主としてパーソナルコンピュータと周辺機器とを接続するために用いられるＵＳＢ（ユニバーサル・シリアル・バス）規格ケーブルおよび接続機器において、伝送されるノイズを抑制するのに好適なＵＳＢコネクタ用ノイズ吸収具に関する。
【０００２】
【従来の技術】
主としてパーソナルコンピュータと周辺機器とを接続するシリアルバスの規格であるＵＳＢ規格ケーブルは、差動のデジタル信号を伝送するための１対の信号線と、直流電流を供給するための２本の電源線から構成される。１対の信号線には、一般的に２本の線材を捩ったツイストペア線が用いられ、伝送元の接続機器からは互いに逆の極性となるデジタル信号がそれぞれに供給される。また、２本の電源線は、一方がアースされ、直流電流が供給される。
【０００３】
このようなＵＳＢ規格による接続装置では、信号線や電源線に混入したノイズの除去のために、従来より円筒状のフェライトコアを使用したノイズ吸収具が用いられてきた。該ノイズ吸収具にＵＳＢ規格ケーブルを貫通させることで、各信号線、電源線に混入したノイズを実用上問題のないレベルまで除去することができる。
【０００４】
図４に、従来のノイズ吸収具の部分断面図を示す。図４に示すように、円筒状のフェライトコア４１は、ケース４２に収納され、中央をＵＳＢ規格ケーブル４４が貫通した構成である。図４に示した従来例では、ケース４２は開閉可能な構造であり、また、フェライトコア４１は、２分割された構成で、ＵＳＢ規格ケーブル４４に後から装着することができる。装着後は、ケース４２に設けられた係合突起４３がＵＳＢ規格ケーブル４４にくい込む構成であるため、ＵＳＢ規格ケーブル４４から外れることがない。
【０００５】
【発明が解決しようとする課題】
しかし、このような従来のノイズ吸収具は、一般にかなりの重量を有するため、ＵＳＢ規格ケーブル端部のコネクタが接続機器側のソケットから外れる原因となることがあった。また、ＵＳＢ規格ケーブルに後付けするタイプのノイズ吸収具の場合には、係合突起のＵＳＢ規格ケーブルヘのくい込みが不十分でノイズ吸収具がＵＳＢ規格ケーブル上に固定されなかったり、逆にくい込みが大きいためにＵＳＢ規格ケーブルの被覆を傷つける場合があった。
【０００６】
ＵＳＢ規格ケーブルの外径および被覆の硬さは一様ではないため、ＵＳＢ規格ケーブルの条件に応じた数種類のケース形状のノイズ吸収具を用意して使い分ける必要がある。さらに、ＵＳＢ規格ケーブルの美観上もノイズ吸収具が存在することは好ましいものではなかった。
【０００７】
従って、本発明の目的は、ＵＳＢ規格ケーブルを傷つけず、かつ固定し易いノイズ吸収具を提供することである。
【０００８】
【課題を解決するための手段】
上記の一連の課題は、全てノイズ吸収具をＵＳＢ規格ケーブル上に設置していることに起因するものである。本発明では、ＵＳＢ規格ケーブル上からノイズ吸収具を排除し、代わりに接続機器に設けられたソケット上にフェライトコアを設置することとする。ＵＳＢ規格ケーブルのコネクタには、タイプＡとタイプＢの２種類があり、一般にパーソナルコンピュータ等にはタイプＡが、周辺の接続機器にはタイプＢが設置されるが、ノイズ吸収具は各ＵＳＢ規格ケーブルにつき１個設置すればよいので、どちらか一方のコネクタに対するＵＳＢソケットのみに設置すれば十分である。
【０００９】
本発明におけるノイズ吸収具は、環状のフェライトコアおよび固定用金具より構成される。このうち、フェライトコアは、タイプＡもしくはタイプＢのＵＳＢソケットと、そこに接続された配線を囲むように設置され、該ソケットの外形とほぼ同一形状の四角形の空孔を有する。ただし、四角形の空孔は、各ＵＳＢソケットの外形よりもやや大きなものとする。また、固定用金具は該フェライトコアをＵＳＢソケットに圧接固定するためのもので、片仮名のワの字状をなし、少なくとも１個使用する。
【００１０】
前記固定用金具は、金属板を折り曲げたもので、該フェライトコアに取り付けることで、ばね性によってＵＳＢソケットに圧接固定する効果を有する。ワの字状固定用金具の折り曲げ角を調整して使用すれば、フェライトコアの固定時にＵＳＢソケットを押しつける力を加減できるので、振動などによるフェライトコアの抜け落ちを防ぐことができる。以上により、環状のフェライトコアと固定用金具という簡単な構造で従来の問題点を解消したノイズ吸収具を提供することが可能である。また、該ノイズ吸収具は、必要部品が通常は２点のみの単純な構成であるために、ノイズ吸収具自体のコストも安価に抑えることができる。
【００１１】
即ち、本発明は、ＵＳＢ規格ケーブルに重畳されるコモンモードノイズを抑制するノイズ吸収具であって、前記ノイズ吸収具は、四角形の空孔を有する環状のフェライトコアを備えた構造であり、機器の有するＵＳＢソケットの回りを囲むように装着されるノイズ吸収具である。
【００１２】
また、本発明は、前記ノイズ吸収具は、前記ノイズ吸収具が、前記フェライトコアと、少なくとも１個のワの字状固定用金具とを組み合わせてなる構成のノイズ吸収具である。
【００１３】
【発明の実施の形態】
以下、本発明の実施の形態によるノイズ吸収具について、図面を参照しながら説明する。
【００１４】
図１は、本発明におけるＵＳＢコネクタ用ノイズ吸収具のうち、タイプＢコネクタ用の例を図示したものである。図１（ａ）に斜視図を示し、図１（ａ）におけるノイズ吸収具のＡＡ線縦断面図を図１（ｂ）に示す。ＵＳＢコネクタ用ノイズ吸収具は、中央に四角形の空孔を有する環状のフェライトコア１１と、１個のワの字状固定用金具１２とを組み合わせた構成である。フェライトコア１１の四角形の空孔は、タイプＢのＵＳＢソケットの外形とほぼ同一形状で、やや大きい形状とすることで、該ソケットが容易に挿入可能とする。
【００１５】
フェライトコア１１の外形については限定されないが、フェライトコアの作製の容易性やワの字状固定用金具１２の装着の容易性などから、四角形とすることが望ましい。図１は、空孔、外形ともに四角形の場合の例であり、その１箇所にワの字状固定用金具１２を装着している。また、フェライトコア１１の材質は、ＵＳＢ規格ケーブル用の従来品と同等であり、例えば信号伝送に用いられる１０ＭＨｚ〜２００ＭＨｚの範囲の範囲でノイズの減衰効果を示すＮｉＺｎ、ＭｎＺｎ系材質のソフトフェライトが適している。
【００１６】
また、図２に、前記のワの字状固定用金具の斜視図を示す。ワの字状固定用金具２１には、３箇所の折り曲げ部があるが、このうち折り曲げ部２２の角度が該ノイズ吸収具のＵＳＢソケットヘの装着性に影響する。一般に、折り曲げ部２２の角度が大きいと、ＵＳＢソケットヘの固定がより強固となるが、一方で装着作業が困難になると、共にＵＳＢソケットおよびフェライトコアの双方に加わる力が大きくなり、両者の破損、変形の危険が増加する。
【００１７】
このため、該ノイズ吸収具への装着前に、折り曲げ部２２の角度が最適となるよう予め調整しておく必要がある。折り曲げ部２２の最適条件には、ワの字状固定用金具２１の外形寸法、厚さ、材質、フェライトコアとＵＳＢソケットとの間隔、ＵＳＢソケットと該固定用金具との静止摩擦係数の大きさ等が関与している。該固定用金具２１の材質は、ばね弾性が比較的高い金属であることが条件であり、ステンレス、リン青銅などが好適である。なお、図１では、タイプＢのＵＳＢソケット用のノイズ吸収具１個に対して該固定用金具を１つ使用しているが、２個以上の該固定用金具を用いた構成としても構わない。
【００１８】
図３は、本発明のＵＳＢコネクタ用ノイズ吸収具を、タイプＢのＵＳＢソケットに装着した場合の例について図示したものである。図３（ａ）は、装着の際の斜視図であり、図３（ｂ）は両者のＢ，Ｂ’，Ｂ”の位置における装着後の両者の位置関係を縦断面図として示したものである。フェライトコア３１、ワの字状固定用金具３２よりなるＵＳＢコネクタ用ノイズ吸収具は、タイプＢのＵＳＢソケット３３に装着後、該固定用金具３２のばね弾性により該ソケット３３に圧接固定される。図３（ｂ）に示すように、ＵＳＢコネクタ用ノイズ吸収具は、図の上部のワの字状固定用金具３２とフェライトコア３１の空孔の下端部の２箇所で該ソケット３３に固定されている。
【００１９】
なお、前記の通り、ワの字状固定用金具３２の外形寸法、厚さ、材質、折り曲げ角を最適に選択することで該ノイズ吸収具を十分な強度で圧接固定することが可能であるが、必要な場合には固定後に接着剤等を用いて両者を固着させてもよい。また、タイプＡのＵＳＢソケットに装着する場合は、ソケットの外形に合わせてフェライトコアの外形寸法を変更する必要があるが、それ以外のフェライトコアの材質、ワの字状固定用金具の形状や材質は同等で構わない。
【００２０】
【発明の効果】
以上、説明したように、本発明によれば、ノイズ吸収具をＵＳＢ規格ケーブル上ではなく、機器に設けたＵＳＢソケット上に設置することができるので、従来問題であったノイズ吸収具の重量によるＵＳＢ規格ケーブルの抜け落ちやＵＳＢ規格ケーブル上での固定不良の問題、美観上の問題を解決することできる。また、本発明におけるノイズ吸収具は、フェライトコアとワの字状固定用金具のみという簡単な構成であるので、ノイズ吸収具に関するコストを最小限とする効果も有する。
【図面の簡単な説明】
【図１】本発明におけるＵＳＢコネクタ用ノイズ吸収具を示す図。図１（ａ）は該ノイズ吸収具の斜視図、図１（ｂ）は図１（ａ）におけるノイズ吸収具の点線Ａ，Ａ部分での縦断面図。
【図２】本発明におけるＵＳＢコネクタ用ノイズ吸収具を構成するワの字状固定用金具の斜視図。
【図３】本発明のＵＳＢコネクタ用ノイズ吸収具をタイプＢのＵＳＢソケットに装着した際の例を示す図。図３（ａ）は装着時の斜視図であり、図３（ｂ）は装着後の両者のＢ，Ｂ’，Ｂ”の位置関係の縦断面図。
【図４】従来のノイズ吸収具の部分断面図。
【符号の説明】
１１，３１，４１　　フェライトコア
１２，２１，３２　　ワの字状固定用金具
２２　　折り曲げ部
３３　　タイプＢのＵＳＢソケット
４２　　ケース
４３　　係合突起
４４　　ＵＳＢ規格ケーブル
【図１】
2004039786.tif 000003
【図２】
2004039786.tif 000004
【図３】
2004039786.tif 000005
【図４】
2004039786.tif 000006